(57)【要約】  【課題】同じ色でも面積が大きくなると明度が高く見え、逆に面積が小さくなると明度が低く見えるという色彩の面積効果によって重要な色の見た目の色が異なって見えてしまう現象を抑制して、好ましい色再現を実現できる表示装置を提供する。  【解決手段】１画面分のカラー表示用データを格納する格納手段３２と、明度を補正する対象色を指定する対象色指定手段３４と、カラー表示用データのうちの対象色を有する連続した画素の数を積算して対象色を有する連続した画素が占める対象色面積を算出する対象色面積算出手段４２と、１画面の全画像面積に対する対象色面積の比に基づいて、対象色を有する連続した画素の明度データを変更する明度補正手段４６と、明度データを変更した後の対象色を有する連続した画素のデータを含めて１画面分のカラー表示用データに基づいてカラー表示する表示手段４８とを備える。【選択図】図１
2006330094.tif 000002
【特許請求の範囲】
【請求項１】
１画面分のカラー表示用データを格納する格納手段と、
明度を補正する対象色を指定する対象色指定手段と、
前記カラー表示用データのうちの前記対象色を有する連続した画素の数を積算して、前記対象色を有する連続した画素が占める対象色面積を算出する対象色面積算出手段と、
前記１画面分のカラー表示用データが占める全画像面積に対する前記対象色面積の比に基づいて、前記比が大きいほど暗くなり前記比が小さいほど明るくなるように、前記対象色を有する連続した画素の明度データを変更する、明度補正手段と、
明度データを変更した後の前記対象色を有する連続した画素のデータを含めて、前記１画面分のカラー表示用データに基づいてカラー表示する表示手段とを備えたカラー画像表示装置。
【請求項２】
さらに、全画像面積に対する対象色面積の比の値が大きさ順に所定の幅ごとに段階的にグループ分けされ、明度の変更度合いを示す補正倍率が前記グループごとに設定されている明度補正倍率テーブルを備え、
前記明度補正手段は、前記明度補正倍率テーブルに基づいて、前記比が属するグループの補正倍率を用いて前記対象色を有する連続した画素の明度データを変更する、請求項１に記載のカラー画像表示装置。
【請求項３】
前記明度補正手段は、前記比が予め決められた所定の値の場合には前記対象色を有する連続した画素の明度データを変更せず、前記所定の値より大きい場合には前記明度データを暗くなるように変更し、前記所定の値より小さい場合には前記明度データを明るくなるように変更する、請求項１に記載のカラー画像表示装置。
【請求項４】
前記対象色指定手段は、色相、彩度、明度の組み合わせにより、前記対象色を指定する、請求項１に記載のカラー画像表示装置。
【請求項５】
積算された前記連続した画素の数が予め決められた所定数未満の場合には、前記明度補正手段は、前記対象色の画素の明度データを変更しない、請求項１に記載のカラー画像表示装置。
【請求項６】
前記対象色面積算出手段は、Ｘ座標またはＹ座標が同一である前記対象色を有する連続した画素の数が、所定の画素数以上となる画素のみを積算する、請求項１に記載のカラー画像表示装置。
【請求項７】
１画面分のカラー表示用データを格納する格納ステップと、
明度を補正する対象色を指定する対象色指定ステップと、
前記カラー表示用データのうちの前記対象色を有する連続した画素の数を積算して、前記対象色を有する連続した画素が占める対象色面積を算出する対象色面積算出ステップと、
前記１画面分のカラー表示用データが占める全画像面積に対する前記対象色面積の比に基づいて、前記比が大きいほど暗くなり前記比が小さいほど明るくなるように、前記対象色を有する連続した画素の明度データを変更する、明度補正ステップと、
明度データを変更した後の前記対象色を有する連続した画素のデータを含めて、前記１画面分のカラー表示用データに基づいてカラー表示する表示ステップとを備えたカラー画像表示方法。
【請求項８】
請求項７に記載のカラー画像表示方法の、１画面分のカラー表示用データを格納する前記格納ステップ、明度を補正する対象色を指定する前記対象色指定ステップ、前記対象色を有する連続した画素が占める対象色面積を算出する前記対象色面積算出ステップ、前記１画面分のカラー表示用データが占める全画像面積に対する前記対象色面積の比に基づいて、前記対象色を有する連続した画素の明度データを変更する前記明度補正ステップ、明度データを変更した後の前記対象色を有する連続した画素のデータを含めて１画面分のカラー表示用データに基づいてカラー表示する前記表示ステップ、を実行するためにコンピュータを機能させるためのプログラム。
【請求項９】
請求項８に記載のプログラムを記録した記録媒体であって、コンピュータで利用可能な記録媒体。
【発明の詳細な説明】
【技術分野】
【０００１】
本発明は、カラー画像表示装置およびカラー画像表示方法に関するものである。例えば、一つの画素が３原色の色で表示可能であり、３原色の色の混合比に対応する色信号を入力し表示するカラー画像表示装置およびカラー画像表示方法に関するものである。
【背景技術】
【０００２】
カラー表示用のデバイスとしてＣＲＴ、ＬＣＤ（Ｌｉｑｕｉｄ  Ｃｒｙｓｔａｌ  Ｄｉｓｐｌａｙ）、ＰＤＰ等が使用されており、一般的な基本色としてはＲＧＢ（赤緑青）３原色が用いられている。
【０００３】
こうした表示装置において、入力画像を忠実に再現させることは重要な要素である。入力画像を忠実に再現させる補正は、従来から種々の方法が提案されている。例えば、特許文献１では、色彩の面積効果を補償する発明が開示されている。
【０００４】
色彩の面積効果とは、同じ色でもその領域の面積の大小によって、明度が異なって見える現象である。色彩の面積効果によれば、同じ色でも面積が大きくなると明度が高く見え、逆に面積が小さくなると明度が低く見えると言われる。特許文献１では、入力された画像を変倍して、その変倍後の画像を出力する画像処理装置において、入力画像と出力画像との間の色彩の面積効果を補償する手法が提案されている。変倍後の画像データの明度値をその変倍の倍率に応じて補正することで、入力画像と出力画像の色彩について同じ印象をユーザーに与えることができる。
【０００５】
図６および図７に、特許文献１に開示された手法における明度の補正手順を示す。図８（ａ）は読み込む原稿の例を示しており、ここでは、図８（ａ）に示す原稿を読み込む場合について説明する。図６〜図８を用いて、特許文献１の手法による明度の補正手順について説明する。
【０００６】
カラー複写機で、ユーザがカラーコピーの条件を設定する過程を想定する。
【０００７】
「オート濃度」モードが選択されているとき、タッチパネルにはモニタ画像を出力することを指示するための「画質モニタ」キーが表示される。ユーザがこの「画質モニタ」キーを押すと、ＣＰＵが、以下のように図６に示す画質モニタモードの処理を実行する。
【０００８】
画質モニタモードが選択される（Ｓ６０１）と、まず、原稿ガラス上に載置されている図８（ａ）の原稿のサイズを、原稿サイズ検出センサの出力に基づいて判別する（Ｓ６０２）。
【０００９】
次に、現在選択されている用紙サイズを判別する（Ｓ６０３）。そして、ユーザの希望するモニタ画像の数を入力させるために、タッチパネルに、「モニタの画像数を選んでください」と表示するとともに、倍率表示部に「ＡＵＴＯ（自動）」を表示する（Ｓ６０４）。ここで「ＡＵＴＯ（自動）」と表示する理由は、１枚の用紙の中に全てのモニタ画像を収めるために、モニタ画像数が２、４、８と多くなるにつれて変倍率を×７０％、×５０％、×３５％と次第に小さくするからである。
【００１０】
次に、ＣＰＵは、入力されたモニタ画像数に応じて変倍率を演算して設定する（Ｓ６０５）。
【００１１】
次に、ＣＰＵは、明度補正処理部を制御して、図７に示す明度補正処理を行なう（Ｓ６０６）。具体的には、図７に示すように、ＣＰＵの制御に応じて明度補正処理部が明度補正テーブルを参照して（Ｓ７０１）、モニタ画像の倍率（Ｓ６０５の処理で設定された変倍率）と入力された原稿画像の明度値に応じてその明度値を補正する（Ｓ７０２）。
【００１２】
明度補正処理部は、明度補正テーブルを参照して、変倍が拡大であるとき明度値を減少させる補正を行なう一方、変倍が縮小であるとき明度値を増加させる補正を行なう。この理由は、色彩の面積効果によれば、同じ色でも面積が大きくなると明度は高く見え、逆に面積が小さくなると明度は低く見えるから、それを補償するためである。また、明度補正テーブルは、入力された原稿画像の明度値が高ければ、明度値に対する補正量が大きくなるように、逆に、入力された原稿画像の明度値が低ければ、元の画像データの明度値に対する補正量を小さくするように設定されている。この理由は、入力画像が肌色のように、明度値の高いものであれば色彩の面積効果が大きく、逆に入力画像が明度値の低いものであれば色彩の面積効果が小さくなるという、これらの効果の違いを補償するためである。
【００１３】
上記した明度補正の効果について、モニタ画像の出力例を用いて、以下に具体的に説明する。
【００１４】
図８（ｂ）は、モニタ画像の出力例を示している。図８（ａ）の入力原稿に対して、モニタ画像数として８が指定された場合の出力例であり、ここでは図８（ｂ）の出力用紙１３０のサイズは、図８（ａ）の入力原稿サイズと同じサイズが指定されて出力されたものとする。ここで、入力原稿の画像１２０の明度値をＶ＝３０とする。
【００１５】
図８（ａ）の入力原稿に対して、図８（ｂ）に示すように、８個のモニタ画像１２１〜１２８が明度順に１ページ内に並べて配置されたものとなる。図８（ｂ）では、明度値が高いものほど斜線の密度が疎に、明度値が低いものほど斜線の密度が密に描かれている。
【００１６】
図８（ｂ）の８個のモニタ画像のうち、モニタ画像１２４が、図８（ａ）の入力原稿１２０と同じ明度を示す画像である。図８（ａ）の入力原稿と図８（ｂ）の出力サイズは同じなので、モニタ画像１２４は画像１２０が縮小されて出力されることになるため、上記した明度補正処理によってモニタ画像１２４の明度値Ｖ０は画像１２０の明度値Ｖよりも明るくなるように補正され、その明度値はＶ０＝３５である。しかし、色彩の面積効果によって、モニタ画像１２４がユーザに与える印象は入力原稿の画像１２０がユーザに与える印象と一致する。
【００１７】
そして、モニタ画像１２４よりも明るいモニタ画像１２３、１２２、１２１の明度値は、それぞれ順に、（Ｖ０＋２）＝３７、（Ｖ０＋４）＝３９、（Ｖ０＋６）＝４１であり、モニタ画像１２４よりも暗いモニタ画像１２５、１２６、１２７、１２８の明度値は、それぞれ順に、（Ｖ０−２）＝３３、（Ｖ０−４）＝３１、（Ｖ０−６）＝２９、（Ｖ０−８）＝２７である。
【００１８】
特許文献１では、以上のような手順で明度の補正が行なわれる。
【特許文献１】特開２００１−３３９６０２号公報
【発明の開示】
【発明が解決しようとする課題】
【００１９】
しかしながら、上述した従来の明度補正方法では、表示領域全体の面積による影響を考慮していないので、表示領域全体の面積が変わると、ユーザが受ける明るさの印象が変わってしまうという問題がある。
【００２０】
特許文献１に記載の明度補正方法では、変倍率すなわち元の画像の面積と出力画像の面積に基づいてのみ明度の補正量を決定しており、表示領域全体の面積については考慮していない。
【００２１】
しかし、画像の大きさが同じであっても、表示領域全体の面積が変わると、明度が同じ画像でも、ユーザがその画像から受ける明るさの印象は変わってくる。図８（ｃ）は、図８（ｂ）と同じ画像を、図８（ｂ）の出力用紙１３０よりも大きい４倍のサイズの出力用紙１３１に出力した例を示している。図８（ｃ）の破線で示す部分は、出力用紙１３１の用紙サイズの範囲を示している。
【００２２】
図８（ｃ）に示すモニタ画像１２１〜１２８は、図８（ｂ）に示すモニタ画像１２１〜１２８と全く同じもの、すなわち明度も全て同じにして出力したものであるが、例えば同じ明度のモニタ画像１２４について見ると、ユーザーは、図８（ｃ）の方が図８（ｂ）よりも暗い印象を受けてしまう。これは、両者のモニタ画像１２４が同じ大きさであっても、図８（ｃ）の方が出力用紙全体に対する面積比が小さくなっているためである。
【００２３】
特許文献１に記載の明度補正方法では、図８（ｂ）の出力用紙１３０に出力する場合も、それよりサイズの大きい図８（ｃ）の出力用紙１３１に出力する場合も、どちらのモニタ画像１２４も同じ明度で出力することになり、その結果ユーザは、図８（ｂ）と図８（ｃ）では、同じ明度の両者のモニタ画像１２４について異なる明るさであるという印象を受けてしまうことになる。
【００２４】
本発明は、上述した従来の課題を解決するもので、表示領域全体の面積による影響も考慮して、面積効果による色の見え方の違和感を減少させる、カラー画像表示装置およびカラー画像表示方法を提供することを目的とするものである。
【課題を解決するための手段】
【００２５】
上述した課題を解決するために、第１の本発明は、
１画面分のカラー表示用データを格納する格納手段と、
明度を補正する対象色を指定する対象色指定手段と、
前記カラー表示用データのうちの前記対象色を有する連続した画素の数を積算して、前記対象色を有する連続した画素が占める対象色面積を算出する対象色面積算出手段と、
前記１画面分のカラー表示用データが占める全画像面積に対する前記対象色面積の比に基づいて、前記比が大きいほど暗くなり前記比が小さいほど明るくなるように、前記対象色を有する連続した画素の明度データを変更する、明度補正手段と、
明度データを変更した後の前記対象色を有する連続した画素のデータを含めて、前記１画面分のカラー表示用データに基づいてカラー表示する表示手段とを備えたカラー画像表示装置である。
【００２６】
また、第２の本発明は、
さらに、全画像面積に対する対象色面積の比の値が大きさ順に所定の幅ごとに段階的にグループ分けされ、明度の変更度合いを示す補正倍率が前記グループごとに設定されている明度補正倍率テーブルを備え、
前記明度補正手段は、前記明度補正倍率テーブルに基づいて、前記比が属するグループの補正倍率を用いて前記対象色を有する連続した画素の明度データを変更する、第１の本発明のカラー画像表示装置である。
【００２７】
また、第３の本発明は、
前記明度補正手段は、前記比が予め決められた所定の値の場合には前記対象色を有する連続した画素の明度データを変更せず、前記所定の値より大きい場合には前記明度データを暗くなるように変更し、前記所定の値より小さい場合には前記明度データを明るくなるように変更する、第１の本発明のカラー画像表示装置である。
【００２８】
また、第４の本発明は、
前記対象色指定手段は、色相、彩度、明度の組み合わせにより、前記対象色を指定する、第１の本発明のカラー画像表示装置である。
【００２９】
また、第５の本発明は、
積算された前記連続した画素の数が予め決められた所定数未満の場合には、前記明度補正手段は、前記対象色の画素の明度データを変更しない、第１の本発明のカラー画像表示装置である。
【００３０】
また、第６の本発明は、
前記対象色面積算出手段は、Ｘ座標またはＹ座標が同一である前記対象色を有する連続した画素の数が、所定の画素数以上となる画素のみを積算する、第１の本発明のカラー画像表示装置である。
【００３１】
また、第７の本発明は、
１画面分のカラー表示用データを格納する格納ステップと、
明度を補正する対象色を指定する対象色指定ステップと、
前記カラー表示用データのうちの前記対象色を有する連続した画素の数を積算して、前記対象色を有する連続した画素が占める対象色面積を算出する対象色面積算出ステップと、
前記１画面分のカラー表示用データが占める全画像面積に対する前記対象色面積の比に基づいて、前記比が大きいほど暗くなり前記比が小さいほど明るくなるように、前記対象色を有する連続した画素の明度データを変更する、明度補正ステップと、
明度データを変更した後の前記対象色を有する連続した画素のデータを含めて、前記１画面分のカラー表示用データに基づいてカラー表示する表示ステップとを備えたカラー画像表示方法である。
【００３２】
また、第８の本発明は、
第７の本発明のカラー画像表示方法の、１画面分のカラー表示用データを格納する前記格納ステップ、明度を補正する対象色を指定する前記対象色指定ステップ、前記対象色を有する連続した画素が占める対象色面積を算出する前記対象色面積算出ステップ、前記１画面分のカラー表示用データが占める全画像面積に対する前記対象色面積の比に基づいて、前記対象色を有する連続した画素の明度データを変更する前記明度補正ステップ、明度データを変更した後の前記対象色を有する連続した画素のデータを含めて１画面分のカラー表示用データに基づいてカラー表示する前記表示ステップ、を実行するためにコンピュータを機能させるためのプログラムである。
【００３３】
また、第９の本発明は、
第８の本発明のプログラムを記録した記録媒体であって、コンピュータで利用可能な記録媒体である。
【発明の効果】
【００３４】
本発明により、表示領域全体の面積による影響も考慮して、面積効果による色の見え方の違和感を減少させる、カラー画像表示装置およびカラー画像表示方法を提供することができる。
【発明を実施するための最良の形態】
【００３５】
以下に、本発明の実施の形態を、図面を用いて説明する。
【００３６】
（実施の形態１）
図１に、本発明の第１の実施の形態の表示装置３０の構成図を示す。
【００３７】
本実施の形態１の表示装置３０は、書き込み手段３１、画像メモリ３２、信号変換手段３３、対象色指定手段３４、対象色頻度算出手段３５、対象色頻度判定手段３６、画素信号抽出手段３８、Ｘ方向ヒストグラム作成手段３９、ベタ画像抽出手段４０、対象画像位置記憶手段４１、面積演算手段４２、倍率演算手段４３、補正明度決定手段４４、対象画像判定手段４５、ＲＧＢ信号補正手段４６、読み込み手段４７、ＲＧＢ表示手段４８から構成される。
【００３８】
以下、本実施の形態１の表示装置３０の各構成部分の動作について説明する。
【００３９】
書き込み手段３１は、時系列で入力されるＲＧＢ信号を画像メモリ３２に記録する手段である。画像メモリ３２は、入力されたＲＧＢ信号を画面の位置に対応したアドレスに格納するメモリであり、色補正を行おうとする１フレームの画像が記録される。アドレスを指定して、ＲＧＢ信号を書き込みまたは読み出すことができる。
【００４０】
信号変換手段３３は、ＲＧＢ信号から色相、彩度、明度の各信号を演算し作成する手段である。
【００４１】
対象色指定手段３４は、補正を行いたい対象画像の色（以降、対象色と呼ぶ）を、色相、彩度、明度の組み合わせにより指定する手段である。なお、ここで指定する色相、彩度、明度の組み合わせは、それぞれの値に多少の範囲を持たせて指定する方が、実用的である。
【００４２】
対象色頻度算出手段３５は、画像メモリ３２に記録された１フレームの画像について、対象色指定手段３４で指定された対象色の頻度を算出する手段である。
【００４３】
対象色頻度判定手段３６は、対象色頻度算出手段３５で算出された対象色の頻度が、予め設定されている閾値以上かどうかを判定する手段である。対象色の頻度が閾値以上の場合には、画素信号抽出手段３８に通知する頻度判定信号を１（Ｔｒｕｅ）とする。なお、この場合の閾値が、本発明の予め決められた所定数の一例にあたる。対象色の頻度がこの閾値未満の場合は、ハッチング等の小さな領域と判断されるので、このような小さな領域を対象色の領域に含めないようにする。
【００４４】
画素信号抽出手段３８は、対象色頻度判定手段３６から通知される頻度判定信号が１（Ｔｒｕｅ）のとき、１フレームの画像の各画素の中から対象色を有する画素を抽出する手段である。
【００４５】
Ｘ方向ヒストグラム作成手段３９は、画像のＸ方向（またはＹ方向）に対する頻度ヒストグラムを作成する手段である。対象色を持つ画素が、Ｘ方向ライン（またはＹ方向ライン）にどれだけあるかを調べることにより、この頻度ヒストグラムを作成できる。
【００４６】
ベタ画像抽出手段４０は、連続した対象色を有する画素の領域を抽出する手段である。対象色を有する同一のＸ方向アドレス値の画素が、予め決められた所定の画素数以上の画素を、対象色を有する画素の領域として抽出する。そして、対象色を有する画素の領域があった場合には、「ベタ画像が存在すること」をベタ画像判定信号により対象画像位置記憶手段４１に通知する。
【００４７】
対象画像位置記憶手段４１は、ベタ画像抽出手段４０からのベタ画像判定信号によりベタ画像が存在すると通知された場合に、対象色を有する対象画像が画面のどの位置に存在するかを記憶する手段である。
【００４８】
面積演算手段４２は、対象色を有する対象画像の面積を、ベタ画像抽出手段４０から取得する、ベタ画像であると判定された対象色を有する画素の頻度を累積することにより算出する手段である。
【００４９】
倍率演算手段４３は、対象画像の明度変更の補正倍率の設定を行なう手段である。
【００５０】
補正明度決定手段４４は、倍率演算手段４３で設定された補正倍率を、対象色の明度に乗じることで補正後の対象色の明度とする、補正後の対象色の明度（以降、補正明度と呼ぶ）を決定する手段である。
【００５１】
対象画像判定手段４５は、対象画像位置記憶手段４１より与えられる対象色の位置情報が、読み込み手段４７から指定される読み込みアドレスと等しいかどうかを判定する手段である。読み込みアドレスと等しいとき、対象画像判定手段４５は、その読み込みアドレスの画素が対象色の画素であると判断し、ＲＧＢ信号補正手段４６への対象画像判定信号を、１（Ｔｒｕｅ）とする。
【００５２】
ＲＧＢ信号補正手段４６は、対象画像判定手段４５から通知される対象画像判定信号と、読み込み手段４７から指定される読み込みアドレスによって画像メモリ３２から読み出されるＲＧＢ信号と、補正明度決定手段４４から取得する補正明度とから、明度データを補正したＲＧＢ信号７９を作成する手段である。ＲＧＢ信号補正手段４６は、対象画像判定信号が１（Ｔｒｕｅ）のとき、画像メモリ３２から読み出されるＲＧＢ信号を変更し、その明度データが補正明度となるようにＲＧＢ信号７９を作成する。
【００５３】
読み込み手段４７は、アドレスを指定して、画像メモリ３２に記録されているＲＧＢ信号を取り出す手段である。画像メモリ３２から読み出されたＲＧＢ信号は、ＲＧＢ信号補正手段４６を経て読み込み手段４７に入力される。また、読み込み手段４７は、ＲＧＢ信号補正手段４６を経て入力されたＲＧＢ信号から、ＲＧＢ表示手段４８に映像を表示させるための形式に合わせた同期信号とＲＧＢ信号を作成し、出力する手段でもある。
【００５４】
ＲＧＢ表示手段４８は、読み込み手段４７から入力される同期信号とＲＧＢ信号から、映像を表示する手段である。
【００５５】
なお、表示装置３０が、本発明のカラー画像表示装置の一例にあたる。また、画像メモリ３２が、本発明の格納手段の一例にあたる。また、対象色頻度算出手段３５、対象色頻度判定手段３６、画素信号抽出手段３８、Ｘ方向ヒストグラム作成手段３９、ベタ画像抽出手段４０、面積演算手段４２を組み合わせたものが、本発明の対象色面積算出手段の一例にあたる。また、倍率演算手段４３、補正明度決定手段４４、ＲＧＢ信号補正手段４６を組み合わせたものが、本発明の明度補正手段の一例にあたる。また、読み込み手段４７とＲＧＢ表示手段４８を組み合わせたものが、本発明の表示手段の一例にあたる。
【００５６】
次に、本実施の形態１の表示装置３０において明度を補正する動作について説明する。
【００５７】
図２に、本実施の形態１で明度補正を行いたい表示画面の例を示す。全表示領域１１は、画面上で表示できる全体領域であり、対象画像１０の部分が、明度補正を行わせる色の領域を示している。
【００５８】
図３は、本実施の形態１の明度の補正手順を示している。
【００５９】
まず、対象色指定手段３４で、補正を行いたい対象色を指定する（Ｓ３０１）。ここでは、対象色として図２の対象画像１０の部分の色を指定するものとする。対象色の、色相、彩度、明度を設定することにより、対象画像１０を指定する。なお、Ｓ３０１の処理が、本発明の対象色指定ステップの一例にあたる。
【００６０】
次に、書き込み手段３１が、時系列で入力されるＲＧＢ信号を画像メモリ３２に記録する。なお、この画像メモリ３２にＲＧＢ信号を格納する処理が、本発明の格納ステップの一例にあたる。
【００６１】
次に、対象色頻度算出手段３５は、色補正を行いたいある全体画像（ここでは、全表示領域１１）について、対象色を有する対象画像１０の頻度を抽出する（Ｓ３０２）。
【００６２】
ここで、対象色頻度判定手段３６が、対象色の頻度が予め決められている閾値よりも大きいと判定した場合（Ｓ３０３）には、Ｘ方向ヒストグラム作成手段３９は、画素信号抽出手段３８で抽出された対象色を有する画素から、対象色を有する領域すなわち対象画像１０について、画像のＸ方向（Ｙ方向でもよい）に対する頻度ヒストグラムを作成する（Ｓ３０４）。
【００６３】
図２の全表示領域１１の下に、全表示領域１１内の対象色の頻度ヒストグラムの例を示しており、Ｘ方向ヒストグラム作成手段３９は、このような頻度ヒストグラムを作成する。図２の場合には、全表示領域１１内で対象色を有する領域は対象画像１０の部分だけなので、その頻度ヒストグラムは図２に示すようなヒストグラムとなる。
【００６４】
そして、ベタ画像抽出手段４０は、Ｘ方向ヒストグラム作成手段３９で作成された頻度ヒストグラムより、対象画像１０からベタ画像の領域を抽出する（Ｓ３０５）。
【００６５】
ベタ画像の抽出は、Ｘ方向の各アドレスにおける対象色画素の頻度を用いて行う。図４は、Ｘ方向のアドレスに対する対象色を有する画素の頻度の一例を示している。この図４の頻度ヒストグラムを用いて、その頻度が所定のしきい値以上で所定画素数以上連続している領域をベタ部と判定し、それ以外の領域をベタ部ではない（非ベタ部）と判定する。図４の場合には、対象色の頻度が所定のしきい値を超えているＸ０〜Ｘ１の範囲をベタ部、それ以外を非ベタ部と判定する。なお、この場合のしきい値が、本発明の所定の画素数の一例にあたる。
【００６６】
次に、面積演算手段４２が、対象画像１０内のベタ部の領域の面積を演算する（Ｓ３０６）。ベタ部の領域の面積は、ベタ部の領域の対象色を有する画素の頻度の累積により求める。ここでは、図２に示すように、対象色を有する対象画像１０の領域は１つの領域なので、対象画像１０の領域そのものがベタ画像の領域と判定されるので、対象画像１０の面積が算出されることになる。
【００６７】
なお、Ｓ３０４〜Ｓ３０６の処理が、本発明の対象色面積算出ステップの一例にあたる。
【００６８】
次に、倍率演算手段４３が、ここで求められた対象画像１０の面積を用いて、対象色の明度変更の補正倍率の設定を行ない（Ｓ３０７）、補正明度決定手段４４が、その補正倍率を対象色の明度データに乗じることで新しい明度データ（補正明度）を決定する（Ｓ３０８）。
【００６９】
Ｓ３０３の処理において、対象色の頻度が予め決められている閾値以下であると判定された場合は、上記の補正明度の決定処理（Ｓ３０４〜Ｓ３０８）は行なわない。
【００７０】
Ｓ３０７の処理で設定される補正倍率は、係数Ａ、対象画像１０の面積、全画像の面積（全表示領域１１の面積）を用いて、例えば数１によって与えられる。
【００７１】
【数１】
2006330094.tif 000003
数１において、例えば、対象画像面積が全画像面積の１／４のときに明度の変更をせず、対象画像面積が全画像面積の１／４より大きいときに明度を下げ、小さいときに明度を上げたいとした場合には、係数Ａ＝２とすればよい。
【００７２】
図５（ａ）は、係数Ａ＝２とした場合の、数１で示される、補正倍率と、対象画像面積および全画像面積の関係を示している。
【００７３】
この場合、例えば、対象画像面積／全画像面積＝１／４の場合、数１より補正倍率は１となる。そして、例えば、対象画像面積／全画像面積＝１／１６の場合には、補正倍率は２となり、明度を上げることができ、対象画像面積／全画像面積＝１の場合には、補正倍率は０．５となり、明度を下げることができる。
【００７４】
なお、この場合における、明度の変更を行わない１／４という面積比（対象画像面積／全画像面積）の値が、本発明の予め決められた所定の値の一例にあたる。
【００７５】
そして、対象画像判定手段４５は、対象画像位置記憶手段４１より与えられる対象画像１０の位置情報が、読み込み手段４７から指定される読み込みアドレスと等しいかどうかを判定し、等しいときには、対象画像判定信号を１（Ｔｒｕｅ）としてＲＧＢ信号補正手段４６に通知する。
【００７６】
ＲＧＢ信号補正手段４６は、対象画像判定信号と、画像メモリ３２から読み出されるＲＧＢ信号と、補正明度決定手段４４から取得する補正明度７５とから、読み込み手段４７に入力するＲＧＢ信号を作成する。ＲＧＢ信号補正手段４６は、対象画像判定信号が１（Ｔｒｕｅ）のとき、画像メモリ３２から読み出されるＲＧＢ信号を変更し、明度データを補正明度のデータとしたＲＧＢ信号を作成する。
【００７７】
なお、Ｓ３０７およびＳ３０８の処理と、ここでＲＧＢ信号補正手段４６が補正明度のデータを有するＲＧＢ信号を作成する処理とを合わせた処理が、本発明の明度補正ステップの一例にあたる。
【００７８】
読み込み手段４７は、読み込みアドレスを指定して画像メモリ３２に記録されているＲＧＢ信号を取り出す。画像メモリ３２から取り出されるＲＧＢ信号は、ＲＧＢ信号補正手段４６を経て、読み込み手段４７に入力される。読み込み手段４７は、入力されたＲＧＢ信号から、ＲＧＢ表示手段４８によって表示させるための同期信号およびＲＧＢ信号を作成し、ＲＧＢ表示手段４８に入力する。
【００７９】
ＲＧＢ表示手段４８は、読み込み手段４７から入力された同期信号およびＲＧＢ信号から、映像を表示する。なお、ＲＧＢ表示手段４８が映像を表示する処理が、本発明の表示ステップの一例にあたる。
【００８０】
なお、Ｓ３０３の処理で対象色頻度判定手段３６により対象色の領域が無いと判定された場合、すなわち頻度判定信号が１（Ｔｒｕｅ）でない場合は、図３に示すように、Ｘ方向ヒストグラム作成手段３９、ベタ画像抽出手段４０、対象画像位置記憶手段４１、面積演算手段４２、倍率演算手段４３、補正明度決定手段４４の処理を行なう必要はなく、明度変更は行なわなくてよい。
【００８１】
また、本実施の形態１では、Ｓ３０１の処理で対象色指定手段３４は、色相、彩度、明度の組み合わせにより対象色を指定することとしたが、必ずしもこれらの色の３要素の組み合わせで指定しなくてもよく、これらの３要素のうちのいずれかの要素、または２つの要素の組み合わせにより対象色を指定するようにしてもよい。
【００８２】
また、本実施の形態１では、倍率演算手段４３で補正倍率を求める処理を、数１を用いて算出することとしたが、全画像面積に対する対象画像面積の比に関連づけられた補正倍率を持つ明度補正倍率テーブルを設けて、この明度補正倍率テーブルを用いて補正倍率を決定するようにしてもよい。
【００８３】
図５（ｂ）は、明度補正倍率テーブルを用いる場合の、明度補正倍率テーブルに設定される面積比（対象画像面積／全画像面積）とそれに対応づけられる補正倍率の一例を示している。このように面積比を所定の幅ごとにグループ分けし、そのグループ毎に補正倍率を設定した明度補正倍率テーブルを用いることにより、面積比から補正倍率を求めることができる。
【００８４】
なお、表示させるディスプレイの特性に応じて適正な明度補正が行われるように、倍率演算手段４３で使用される補正倍率の計算式やその係数、明度補正倍率テーブルを、ディスプレイ毎にその特性に合ったものを使用するようにする。
【００８５】
以上に説明したように、本発明のカラー画像表示装置またはカラー画像表示方法を使用することにより、表示領域全体の面積が変わっても、面積効果による色の見え方の違和感をユーザに感じさせないように表示させることができる。
【００８６】
例えば、図８（ｂ）と図８（ｃ）のように全画像面積（１３０および１３１）が異なる場合でも、図８（ｂ）の画像１２４と図８（ｃ）の画像１２４が同じ明るさに見えるように、図８（ｃ）の画像１２４の明度を図８（ｂ）の画像１２４の明度よりも下げて、ユーザが同じ明るさと感じるようにすることができる。
【００８７】
また、特許文献１に示される従来技術では、「入力された画像を変倍して、その変倍後の画像を出力する」システムでない場合には、明度を補正することができなかった。例えば、表示ディスプレイに、ある色をもつ対象画像が色を変えずに面積を変えながら、複数回表示されているような場合などには対応できなかった。本発明のカラー画像表示装置またはカラー画像表示方法では、このような場合にも適用でき、ある画像が色を変えずに面積を変えながら複数回表示されるような場合でも、ユーザにその画像の明るさが変わっていくような印象を与えることなく表示することができる。
【００８８】
このように、本発明のカラー画像表示装置またはカラー画像表示方法を用いると、同じ色でも面積が大きくなると明度が高く見え、逆に面積が小さくなると明度が低く見える現象（面積効果）を相殺することができ、忠実な色味の伝達が可能となる。
【００８９】
なお、本発明のプログラムは、上述した本発明のカラー画像表示方法の、格納ステップ、対象色指定ステップ、対象色面積算出ステップ、明度補正ステップ、表示ステップ、の全部又は一部のステップの動作をコンピュータにより実行させるためのプログラムであって、コンピュータと協働して動作するプログラムである。
【００９０】
また、本発明の記録媒体は、上述した本発明のカラー画像表示方法の、格納ステップ、対象色指定ステップ、対象色面積算出ステップ、明度補正ステップ、表示ステップ、の全部又は一部のステップの動作をコンピュータにより実行させるためのプログラムを記録した記録媒体であり、コンピュータにより読み取り可能かつ、読み取られた前記プログラムが前記コンピュータと協働して利用される記録媒体である。
【００９１】
なお、上記本発明の上記「一部のステップ」とは、それらの複数のステップの内の、一つ又は幾つかのステップを意味する。
【００９２】
また、本発明のプログラムの一利用形態は、コンピュータにより読み取り可能な記録媒体に記録され、コンピュータと協働して動作する態様であっても良い。
【００９３】
また、記録媒体としては、ＲＯＭ等が含まれる。
【００９４】
また、上述した本発明のコンピュータは、ＣＰＵ等の純然たるハードウェアに限らず、ファームウェアや、ＯＳ、更に周辺機器を含むものであっても良い。
【００９５】
なお、以上説明した様に、本発明の構成は、ソフトウェア的に実現しても良いし、ハードウェア的に実現しても良い。
【産業上の利用可能性】
【００９６】
本発明に係るカラー画像表示装置およびカラー画像表示方法は、表示領域全体の面積による影響も考慮して、面積効果による色の見え方の違和感を減少させる効果を有し、３原色の色の混合比に対応する色信号を入力し表示するカラー画像表示装置およびカラー画像表示方法等として有用である。
【図面の簡単な説明】
【００９７】
【図１】本発明の実施の形態１の表示装置の構成を示すブロック図
【図２】本発明の実施の形態１で明度補正を行いたい表示画面の例を示す図
【図３】本発明の実施の形態１の明度の補正手順を示す図
【図４】本発明の実施の形態１におけるベタ画像を抽出する方法を説明する図
【図５】（ａ）本発明の実施の形態１における、補正倍率と面積比（対象画像面積／全画像面積）の関係の一例を示した図、（ｂ）本発明の実施の形態１における、明度補正倍率テーブルに設定される補正倍率と面積比（対象画像面積／全画像面積）の関係の一例を示した図
【図６】従来の明度を補正する際の画質モニタモードの処理手順を示す図
【図７】従来の明度を補正する際の明度補正処理部の処理手順を示す図
【図８】（ａ）読み込む原稿の例を示す図、（ｂ）モニタ画像の出力例を示す図、（ｃ）サイズの異なる用紙にモニタ画像を出力する例を示す図
【符号の説明】
【００９８】
３０  表示装置
３１  書き込み手段
３２  画像メモリ
３３  信号変換手段
３４  対象色指定手段
３５  対象色頻度算出手段
３６  対象色頻度判定手段
３８  画素信号抽出手段
３９  Ｘ方向ヒストグラム作成手段
４０  ベタ画像抽出手段
４１  対象画像位置記憶手段
４２  面積演算手段
４３  倍率演算手段
４４  補正明度決定手段
４５  対象画像判定手段
４６  ＲＧＢ信号補正手段
４７  読み込み手段
４８  ＲＧＢ表示手段
【図１】
2006330094.tif 000004
【図２】
2006330094.tif 000005
【図３】
2006330094.tif 000006
【図４】
2006330094.tif 000007
【図５】
2006330094.tif 000008
【図６】
2006330094.tif 000009
【図７】
2006330094.tif 000010
【図８】
2006330094.tif 000011